(57)【要約】【課題】可撓性空気通路が収納された第一管及び第二管の成す角度が容易に変更することが出来る電気掃除機を提供する。【解決手段】本発明の電気掃除機１は、少なくとも吸込電動機を含む本体２と、掃除ヘッド３と、掃除ヘッド３と直接的に結合された第一管４１と、本体２と直接的に結合された第二管４２と、第一管４１及び第二管４２に設けられた開口部５と、開口部５を跨いで第一管４１及び第二管４２を接続するバネ６と、第一管４１及び第二管４２に収納された可撓性空気通路７を備えている。バネ６の長手方向の断面が第一管４１及び第二管４２の外側に凸の湾曲状に形成されているため、第一管４１及び第二管４２は掃除中に曲がることはなくバネ６を開口部５の側に軽く押せばバネ６及び可撓性空気通路７が容易に曲がる。【選択図】図１
2020175118.tif 000002
【特許請求の範囲】
【請求項１】
少なくとも吸込電動機を含む本体と、掃除ヘッドと、前記掃除ヘッドと直接的に結合された第一管と、前記本体と直接的または間接的に結合された第二管と、前記第一管及び前記第二管の少なくても一方に設けられた開口部と、前記開口部を跨いで前記第一管及び前記第二管を接続する薄板状のバネと、前記第一管及び前記第二管に収納された可撓性空気通路と、を備えた電気掃除機。
【請求項２】
前記バネの長手方向の断面が前記第一管及び前記第二管の外側に凸の湾曲状に形成されている請求項１に記載の電気掃除機。
【請求項３】
前記バネの長手方向に細長い穴を少なくても一つ設けた請求項１又は請求項２に記載の電気掃除機。
【請求項４】
前記バネが曲がっていない時に前記第一管及び前記第二管の位置が互いに移動することを防止する移動防止部を設けた請求項１乃至請求項３の何れか１項に記載の電気掃除機。
【発明の詳細な説明】
【技術分野】
【０００１】  本発明は、電気掃除機に関する。
【背景技術】
【０００２】  特許文献１に開示の電気掃除機は、掃除ヘッドと連結しているパイプと、可撓性空気通路が収納されたパイプの中間部に設けた自在に折れ曲がる折れ曲がり部と、折れ曲がり部を固定して二つパイプを一体的にすることができる固定具と、を備えている。【０００３】
【先行技術文献】
【特許文献】
【０００４】
【特許文献１】特開２００８−１１０１８３号公報
【発明の概要】
【発明が解決しようとする課題】
【０００５】  特許文献１の電気掃除機では、二つ（第一及び第二）のパイプ（管）の中間部に設けた折れ曲がり部の固定や折れ曲がり部の固定の解除に、固定具を移動しなければならないという欠点がある。【０００６】  本発明は、前述の電気掃除機の欠点を解決するもので、第一管及び第二管を薄板状のバネで接続することで、固定具や固定具の移動を不要にして、第一管及び第二管の成す角度を容易に変更することが出来る電気掃除機を提供することにある。
【課題を解決するための手段】
【０００７】  前述の課題を解決するため、請求項１に記載の電気掃除機は、少なくとも吸込電動機を含む本体と、掃除ヘッドと、前記掃除ヘッドと直接的に結合された第一管と、前記本体と直接的または間接的に結合された第二管と、前記第一管及び前記第二管の少なくても一方に設けられた開口部と、前記開口部を跨いで前記第一管及び前記第二管を接続する薄板状のバネと、前記第一管及び前記第二管に収納された可撓性空気通路と、を備えている。【０００８】  また、請求項２に記載の電気掃除機は、請求項１に記載の前記バネの長手方向の断面が前記第一管及び前記第二管の外側に凸の湾曲状に形成されている。【０００９】  また、請求項３に記載の電気掃除機は、請求項１又は請求項２に記載の前記バネの長手方向に細長い穴が少なくても一つ設けられている。【００１０】  また、請求項４に記載の電気掃除機は、請求項１乃至請求項３の何れか１項に記載の前記バネが曲がっていない時に前記第一管及び前記第二管の位置が互いに移動することを防止する移動防止部が設けられている。
【発明の効果】
【００１１】  前述の説明から明らかなように、請求項１に記載の電気掃除機は、第一管及び第二管の少なくても一方に設けられた開口部を跨いで薄板状のバネが第一管及び第二管を接続しているため、固定具や固定具の移動を不要にすることが出来る。【００１２】  また、請求項２に記載の電気掃除機は、バネの長手方向の断面が第一管及び第二管の外側に凸の湾曲状に形成されているため、バネが曲がっていない時に第一管及び第二管を直線状に保つことが出来る。【００１３】  また、請求項３に記載の電気掃除機は、バネの長手方向に細長い穴が少なくても一つ設けられているため、バネが曲がった時にバネの応力が小さくなり、バネの寿命を長くすることが出来る。【００１４】  また、請求項４に記載の電気掃除機は、バネが曲がっていない時に第一管及び第二管の位置が互いに移動することを防止する移動防止部が設けられているため、通常の電気掃除機と同様に掃除することが出来る。
【図面の簡単な説明】
【００１５】
【図１】本発明の最良の実施形態に係る電気掃除機の構成を示す部分断面正面図である。
【図２ａ】図１における電気掃除機のバネの形状を示す拡大正面図である。
【図２ｂ】図１における電気掃除機のバネの形状を示す拡大右側面図である。
【図３】図１における電気掃除機の第一管及び第二管などの構成を示す拡大部分断面正面図である。
【図４】図１における電気掃除機のバネが曲がって第一管及び第二管が離間した状態を示す拡大部分断面正面図である。
【発明を実施するための形態】
【００１６】  本発明の最良の実施形態について図１乃至図３を参照して説明する。図１乃至図３に示すように、電気掃除機１は、少なくとも吸込電動機（不図示）を含む本体２と、掃除ヘッド３と、掃除ヘッド３と直接的に結合された第一管４１と、本体２と直接的に結合された第二管４２と、第一管４１及び第二管４２に設けられた開口部５と、開口部５を跨いで第一管４１及び第二管４２を接続する薄板状のバネ６と、第一管４１及び第二管４２に収納された可撓性空気通路７から構成されている。本体２に内蔵された二次電池（不図示）の電力は、本体２に設けられたコネクタ８１及び第二管４２に設けられたコネクタ８２及び可撓性空気通路７及び第一管４１に設けられたコネクタ８３及び掃除ヘッド３に設けられたコネクタ８４を介して掃除ヘッド３に送られる。コネクタ８１及びコネクタ８２並びにコネクタ８３及びコネクタ８４は、それぞれ脱着可能である。
【００１７】  バネ６の長手方向の断面は、バネ６が曲がっていない時に第一管４１及び第二管４２を直線状に保持するため、第一管４１及び第二管４２の外側に凸の湾曲状に形成され、バネ６の端部６１及び６２は、それぞれ第一管４１及び第二管４２に固定されている。
【００１８】  また、バネ６が曲がっている時にバネ６の応力が小さくなり、バネ６の寿命を長くするため、バネ６の長手方向に細長い穴６３が少なくても一つ設けられている。穴６３はバネ６の短手方向の長さが短い場合、必ずしも必要ではない。
【００１９】  バネ６が曲がっていない時に第一管４１及び第二管４２の位置が互いに移動することを防止するため移動防止部９が設けられている。移動防止部９は第一管４１に設けられた部分的に環状の第一突出部９１及び第一突出部９１の内部に固定された硬質ゴムなどから成る部分的に環状の緩衝部９２及び第二管４２に設けられた部分的に環状の第二突出部９３から構成されている。緩衝部９２の部分的な内径は一部又は全部が第二管４２の近くになるほど大きくなっている。第二突出部９３の部分的な外径は一部又は全部が第一管４１の近くになるほど小さくなっている。
【００２０】  前述のように構成することで、図１乃至図４に示すように、床面３１を掃除する時は本体に設けられた把手２１を持って主に紙面の左右に電気掃除機１を移動する。バネ６の長手方向の断面が第一管４１及び第二管４２の外側に凸の湾曲状に形成されているため、第一管４１及び第二管４２は掃除中に直線状態を維持する。また、第二突出部９３が緩衝部９２に当接するため第一管４１及び第二管４２の位置が互いに移動することもない。ソファ（不図示）などを掃除する時は把手２１を持つ手（不図示）と異なる手（不図示）でバネ６を開口部５の側に軽く押せば、図４に示すようにバネ６及び可撓性空気通路７が曲がって第一管４１及び第二管４２が離間するため、ソファ（不図示）などの下の床面３１も容易に掃除することが出来る。この状態で把手２１を押す力の向きを変えるとバネ６及び可撓性空気通路７が曲がる角度を変化させることが出来る。具体的には把手２１を押す力を下向きに変えるとバネ６及び可撓性空気通路７が曲がる角度が大きくなるため、掃除ヘッド３をソファ（不図示）などの下の床面３１の奥まで挿入することが出来る。ソファ（不図示）などの下の床面３１から掃除ヘッド３を引き抜いた後、把手２１を床面３１から上に移動させるとバネ６の復元力で電気掃除機１は図１の状態になる。この時、緩衝部９２に第二突出部９３が当接するが緩衝部９２の緩衝作用で衝撃や衝撃音を小さくすることが出来る。
【００２１】  本発明の範囲内で、任意に変形が可能である。例えば、電気掃除機１が図１に示すようなスティック型の場合、第二管４２は本体２と直接的に結合しているが、キャニスター型の場合、本体２と可撓性空気通路を介して間接的に結合しても良い。また、第一管４１及び第二管４２に設けられた開口部５は第一管４１または第二管４２の何れか一方に設けても良い。また、バネ６の長手方向の断面の形状はバネ６のバネ定数を大きくして平面にしても良い。また、バネ６の穴６３は二つ以上設けても良い。また、バネ６が曲がっている時に互いに干渉しないように、バネ６は隙間を開けて二つ以上、設けても良い。また、第一突出部９１及び緩衝部９２は第一管４１ではなく第二管４２に設け、第二突出部９３は第一管４１に設けても良い。また、緩衝部９２に摩擦係数の大きい部材を使用し且つ緩衝部９２及び第二突出部９３が平面的に当接するようにしても良い。前述の変形例で第二突出部９３が緩衝部９２に当接する部分の形状は凹凸状でも良い。
【符号の説明】  １                    電気掃除機
２                    本体
３                    掃除ヘッド
５                    開口部
６                    バネ
７                    可撓性空気通路
９                    移動防止部
２１                    把手
３１                    床面
４１                    第一管
４２                    第二管
６１、６２              端部
６３                    穴
８１、８２、８３、８４  コネクタ
９１                    第一突出部
９２                    緩衝部
９３                    第二突出部
【図１】
2020175118.tif 000003
【図２】
2020175118.tif 000004
【図３】
2020175118.tif 000005
【図４】
2020175118.tif 000006